(57)【要約】【課題】パチンコ機用遊技盤１３，１３Ａに付された自動釘打ち機の識別標識がパチンコ機用遊技盤１３，１３Ａの製造工程等で判読不能に汚れるのを防止できるパチンコ機用遊技盤１３，１３Ａを提供する。遊技盤１３Ａの材質にアクリル樹脂等の合成樹脂板を使用しても鮮明に自動釘打ち機の識別標識を付することができるパチンコ機用遊技盤１３Ａを提供すること。【解決手段】遊技盤１３，１３Ａの底面に形成した識別標識用凹部１３ｄの底面に識別標識番号１３ｅを付す。識別標識番号１３ｅがローラや本体枠１１の取付面となる横プレート片２３ｂと接触して判読不能に汚れるのを防止できる。遊技盤３０の識別標識用凹部１３ｄにシート３１を貼着し、このシート３１に識別標識番号１３ｅを付す。遊技盤１３Ａの材質にインクが付着し難いアクリル樹脂板を使用しても識別標識を付すことが可能となる。【選択図】図５
2011120704.tif 000002
【特許請求の範囲】
【請求項１】
パチンコ球のガイドレールによって区画形成された遊技領域を有し、該遊技領域内にパチンコ球を転動させるため複数本の障害釘が打ち付けられ、該障害釘を遊技盤に打ち付けるときに使用された自動釘打ち機の識別標識が一側端面に付され、パチンコ機の本体枠の前面開口内に取り付けられるパチンコ機用遊技盤であって、
前記遊技盤の一側端面に凹部を形成し、該凹部に前記識別標識を付したことを特徴とするパチンコ機用遊技盤。
【請求項２】
前記遊技盤を合成樹脂で成形し、前記凹部にシートを貼着し、該シートに前記識別標識を付したことを特徴とする請求項１に記載のパチンコ機用遊技盤。
【発明の詳細な説明】
【技術分野】
【０００１】
本発明は、パチンコ機の遊技盤に関する。
【背景技術】
【０００２】
一般にパチンコ機は、前面に開口を形成し、この開口を開閉可能に覆蓋する扉を取り付けた本体枠を備え、本体枠の開口内部に遊技盤が取り付けられている。
この遊技盤には、パチンコ球のガイドレールに囲まれた遊技領域が形成されている。この遊技領域内には発射ハンドルの操作に伴いガイドレールに沿って遊技領域内に打ち出されて落下するパチンコ球を転動させるため複数本の障害釘が打ち付けられている。
【０００３】
ところで、パチンコ機用遊技盤の製造固定において障害釘は自動釘打ち機によって打ち付けられる。自動釘打ち機に不具合があって、障害釘が所定位置に正確に打ち付けられていないと、パチンコ機に作動不良が生じる。
パチンコ機用遊技盤の製造工程では複数台の自動釘打ち機が使用されているが、障害釘に起因する作動不良がパチンコ機に生じた場合、複数台の自動釘打ち機のうち、いずれの釘打ち機が作動不良を生じたパチンコ機の釘打ち工程で使用されたかを識別するため、遊技盤の一側端面に自動釘打ち機の識別標識を付している。この識別標識は遊技盤の一側端面に、インクジェットからインクを噴射し、あるいはスタンプを用いて捺印することにより付されている。
【先行技術文献】
【特許文献】
【０００４】
【特許文献１】引用なし
【発明の概要】
【発明が解決しようとする課題】
【０００５】
パチンコ機用遊技盤の製造工程において、遊技盤は各種工程間をローラコンベアで搬送されるが、その際、識別標識がローラと擦過して判読不能に汚れることがある。また、遊技盤をパチンコ機の本体枠にはめ込むときや、本体枠から取り外す際、識別標識が本体枠の遊技盤取付面に接触して判読不能に汚れることがある。
【０００６】
また、遊技盤の材質としてベニヤ板を使用する場合は、インクジェットやスタンプを用いて識別標識を付すことができるものの、遊技盤の材質にアクリル樹脂、ポリカーボネート樹脂等の合成樹脂板を用いた場合、インクが付着しにくく、識別標識を付すことが困難である。
【０００７】
本発明はかかる問題点に鑑み、パチンコ機の遊技盤に付された自動釘打ち機の識別標識がパチンコ機用遊技盤の製造工程等で判読不能に汚れるのを防止できるパチンコ機用遊技盤を提供することを目的とする。
また、遊技盤の材質にアクリル樹脂等の合成樹脂板を使用しても鮮明に自動釘打ち機の識別標識を付することができるパチンコ機用遊技盤を提供することを目的とする。
【課題を解決するための手段】
【０００８】
請求項１に記載の発明は、パチンコ球のガイドレールによって区画形成された遊技領域を有し、該遊技領域内にパチンコ球を転動させるため複数本の障害釘が打ち付けられ、該障害釘を遊技盤に打ち付けるときに使用された自動釘打ち機の識別標識が一側端面に付され、パチンコ機の本体枠の前面開口内に取り付けられるパチンコ機用遊技盤であって、
前記遊技盤の一側端面に凹部を形成し、該凹部に前記識別標識を付したことを特徴とする。
【０００９】
請求項２に記載の発明は、請求項１に記載のパチンコ機用遊技盤において、前記遊技盤を合成樹脂で成形し、前記凹部にシートを貼着し、該シートに前記識別標識を付したことを特徴とする。
【発明の効果】
【００１０】
請求項１に記載の発明によれば、遊技盤の一側端面に形成した凹部に識別標識を付したので、製造工程において遊技盤をローラコンベアで搬送する際、識別標識がローラに接触しない。また、遊技盤をパチンコ機の本体枠に着脱する際、識別標識が本体枠開口の遊技盤取付面に接触しない。そのため、識別標識がローラや本体枠開口の取付面と接触して判読不能に汚れるのを防止できる。
【００１１】
請求項２に記載の発明によれば、遊技盤の凹部に直接識別標識を付すのではなくて、凹部にシートを貼着し、このシートに識別標識を付すので、遊技盤の材質にインクが付着し難い合成樹脂板を使用しても識別標識を付すことが可能となる。
【図面の簡単な説明】
【００１２】
【図１】本発明の一実施例に係るパチンコ用遊技盤を備えたパチンコ機を示す斜視図である。
【図２】同パチンコ機を示す分解斜視図である。
【図３】同パチンコ機用遊技盤を示す正面図である。
【図４】同パチンコ機用遊技盤を示す底面図である。
【図５】同パチンコ機の遊技盤と取付プレートを示す正面図である。
【図６】本発明の他の実施例に係るパチンコ機用遊技盤を示す底面図である。
【実施例１】
【００１３】
以下に本発明を図面に基づき説明する。図１及び図２には本発明の一実施例に係るパチンコ用遊技盤を備えたパチンコ機１０が示されている。当該パチンコ機１０は本体枠１１、扉１２及びパチンコ用遊技盤１３を備えている。
【００１４】
本体枠１１には前面開口１１ａが形成され、前面開口１１ａを開閉可能に覆蓋するように扉１２が本体枠１１にヒンジ１４で取り付けられている。扉１２には窓１２ａが形成され、窓１２ａの下部には上皿１５、下皿１６、発射ハンドル１７等が配設されている。また、窓１２ａに透明保護板１８がはめ込まれている。
【００１５】
本体枠１１の前面開口１１ａの内部には遊技盤１３と、その背後に液晶表示装置１９が取り付けられている。遊技盤１３の材質には積層したベニヤ板が用いられている。また、遊技盤１３にはガイドレール２０，２１が取り付けられ、ガイドレール２０，２１によって遊技領域１３ａが区画形成されている。
【００１６】
図３に詳細を示すように、遊技盤１３のガイドレール２０，２１によって囲まれた遊技領域１３ａ内には中央開口１３ｂが形成され、中央開口１３ｂ内に図示略の各種電飾ユニットが配設されるとともに、中央開口１３ｂを通して液晶表示装置１９により各種図柄が表示される。また、遊技領域１３ａ内の中央開口１３ｂを除く部分にはガイドレール２０，２１に沿って遊技領域１３ａ内に進入したパチンコ球を転動させるため多数の障害釘２２が打ち付けられている。
【００１７】
遊技盤１３の底辺中央部には嵌合用凹部１３ｃが形成されている。また、嵌合用凹部１３ｃの一側に識別標識用凹部１３ｄが形成されている。識別標識用凹部１３ｄの底面には、図４に示すように、パチンコ機の製造工程において、この遊技盤１３の障害釘２２を打ち付ける工程に使用した自動釘打ち機の識別標識番号１３ｅである「１−２１１０２６」がインクジェットを用いて付されている。
【００１８】
一方、本体枠１１の開口端面１１ａに遊技盤１３の金属製取付プレート２３が固着されている。金属製取付プレート２３は縦プレート片２３ａと横プレート片２３ｂからなるＬ字形の輪郭を有し、その縦プレート片２３ａに上下一対の掛止金具２３ｃが固着されている。また、横プレート片２３ｂに嵌合凸部２３ｄが形成されている。
図５に示すように、遊技盤１３は左端縁部を掛止金具２３ｃに掛止し、底面を横プレート片２３ｂに当接させるとともに嵌合凸部２３ｄを嵌合凹部１３ｃに嵌合することにより、本体枠１１の前面開口１１ａ内に組み付けられている。
【００１９】
本実施例に係るパチンコ機１０の構造は以上の通りであって、遊技盤１３の底面に形成した識別標識用凹部１３ｄの底面に識別標識番号１３ｅを付したので、識別標識番号１３ｅが製造工程においてローラコンベアで搬送する際にローラに接触しない。また、遊技盤１３を本体枠１１に着脱する際、識別標識番号１３ｅが横プレート片２３ｂに接触しない。そのため、識別標識番号１３ｅがローラや本体枠１１の取付面となる横プレート片２３ｂと接触して判読不能に汚れるのを防止できる。
【実施例２】
【００２０】
次に、本発明の他の実施例に係るパチンコ機用遊技盤を図６に基づき説明する。当該遊技盤１３Ａの材質にはアクリル樹脂板が使用されている。また、遊技盤１３Ａの底面に形成した識別標識用凹部１３ｄには紙製シート３１が貼着され、該シート３１にスタンプで自動釘打ち機の識別標識番号１３ｅとして「２」の数字が捺印されている。
なお、本実施例に係るパチンコ機用遊技盤１３Ａの他の構造は図３及び図４に示したパチンコ機用遊技盤１３と同じであるので、詳細な説明を省略する。
【００２１】
本実施例に係るパチンコ機用遊技盤１３Ａによれば、遊技盤１３Ａの識別標識用凹部１３ｄの底面に直接識別標識番号１３ｅを付すのではなくて、識別標識用凹部１３ｄにシート３１を貼着し、このシート３１に識別標識番号１３ｅを付すので、遊技盤１３Ａの材質にインクが付着し難いアクリル樹脂板を使用しても識別標識を付すことが可能となる。
【００２２】
なお、上記実施例では遊技盤１３，１３Ａの底面に識別標識番号１３ｅを付したが、遊技盤１３，１３Ａにおける底面以外の他の側面に識別標識用凹部１３ｄを設けて識別番号を付すことも可能である。
【符号の説明】
【００２３】
１０…パチンコ機
１１…本体枠
１２…扉
１３，１３Ａ…パチンコ機用遊技盤
１３ａ…遊技領域
１３ｄ…識別標識用凹部
１３ｅ…識別標識番号
２０，２１…ガイドレール
２２…障害釘
２３…金属製取付プレート
３１…シート
【図１】
2011120704.tif 000003
【図２】
2011120704.tif 000004
【図３】
2011120704.tif 000005
【図４】
2011120704.tif 000006
【図５】
2011120704.tif 000007
【図６】
2011120704.tif 000008